(57)【要約】【課題】トレイ排出時における自重方向のがたつきを抑制可能かつ容易に製造可能なディスク装置の提供。【解決手段】ディスク装置１００を構成するトレイ１５０の挿入方向側端部に、上方に突出する被付勢突出部１５６を設け、シャーシ１１０の排出方向側端部に、被付勢突出部１５６のみを下方に付勢する錘１３０を設けた。このため、トレイ１５０が排出されたときのみにトレイ１５０の挿入方向側端部を下方に付勢することで、トレイ１５０自体あるいは化粧板１６０の重みで排出方向側端部が自重方向に付勢されたとしても、トレイ１５０の平衡状態を保つことができ、排出時における自重方向のがたつきを防止できる。また、トレイ１５０を常時付勢する構成と比べて、トレイ１５０やシャーシ１１０の破損や摩耗を抑制できる。さらに、硬質ゴムや形状記憶合金などを利用しないので、容易に製造できる。【選択図】図１
2009211748.tif 000002
【特許請求の範囲】
【請求項１】
ディスク状記録媒体を載置可能なトレイと、このトレイを挿排方向に沿って収納可能なシャーシと、を具備し、
前記トレイの挿入方向側端部および前記シャーシの排出方向側端部のうち一方には、自重方向と略平行な方向に突出する被付勢突出部が設けられ、他方には、前記被付勢突出部のみを前記被付勢突出部の突出方向と反対側に付勢する付勢部が設けられた
ことを特徴とするディスク搬送装置。
【請求項２】
請求項１に記載のディスク搬送装置において、
前記被付勢突出部は、自重方向と反対側に突出しかつ前記挿排方向に沿って延びる平行当接部を備え、
前記他方には、前記付勢部を前記挿排方向に移動可能に保持する付勢保持部が設けられた
ことを特徴とするディスク搬送装置。
【請求項３】
請求項１または請求項２に記載のディスク搬送装置において、
前記トレイの挿入方向側端部には、自重方向と反対側に突出する前記被付勢突出部が設けられ、
前記シャーシの排出方向側端部には、前記付勢部として自重により前記被付勢突出部を付勢する錘が設けられた
ことを特徴とするディスク搬送装置。
【請求項４】
請求項３に記載のディスク搬送装置において、
前記被付勢突出部は、自重方向と反対側に突出しかつ前記挿排方向に沿って延びる平行当接部と、この平行当接部よりも自重方向側の位置と前記平行当接部の排出方向側端部とを連結する状態に傾斜する傾斜当接部と、を備えた
ことを特徴とするディスク搬送装置。
【請求項５】
請求項１ないし請求項４のいずれかに記載のディスク搬送装置と、
このディスク搬送装置の前記トレイを前記挿排方向へ移動させるトレイ駆動部と、
ディスク状記録媒体に対する処理を実施するディスク処理部と、
を具備したことを特徴とするディスク装置。
【発明の詳細な説明】
【技術分野】
【０００１】
本発明は、ディスク搬送装置およびディスク装置に関する。
【背景技術】
【０００２】
従来、ディスク状記録媒体を搬送するトレイを付勢することで、トレイのがたつきを抑制する構成が知られている（例えば、特許文献１〜３参照）。また、トレイが上や下から加重を受けた際に元の状態に戻す構成が知られている（例えば、特許文献４参照）
【０００３】
特許文献１に記載のものは、シャーシの前側右端部に設けられた突起板と、この突起板のトレイ側に設けられた板ばねと、を備えている。板ばねは、トレイの進退移動方向の両端部側に設けられた凸部を備えている。そして、トレイの前方への引き出しに際して、シャーシの板ばねの凸部がトレイの側面を付勢しながら摺接することで、トレイの左右方向のがたつきを抑える構成が採られている。
【０００４】
特許文献２に記載のものは、スライドトレイの下面両側に設けられたガイドレールと、トレイガイドに設けられた前後３本のガイドボスと、を備えている。そして、スライドトレイの前後への移動時に、３本のガイドボスに設けられた略円錐形状の上端がガイドレールに断面逆Ｖ字形に形成された奥部に入り込むことで、スライドトレイの左右方向のがたつきを抑える構成が採られている。
【０００５】
特許文献３に記載のものは、トレイの奥側に設けられた当接部と、ボトムケースの下ケース部に設けられた押さえ部材と、を備えている。そして、トレイがボトムケース内に収納されたときに、押さえ部材が当接部の側面と当接することで、トレイ収納時のがたつきを防止する構成が採られている。
【０００６】
特許文献４に記載のものは、トレイの後端近傍箇所の上側に位置する硬質ゴムからなる弾性体と、下側に位置する形状記憶合金からなる板状体と、を備えている。そして、トレイが引き出されて上側から加重が加わった際に弾性体と板状体が屈曲してこの加重を受け止め、加重が取り除かれた際に弾性体の復帰力と板状体の元に戻る性質によりトレイが水平向きの位置に復帰する構成が採られている。
【０００７】
【特許文献１】特開平５−２５８４３９号公報
【特許文献２】特開２００５−１２２８５１号公報
【特許文献３】特開２００３−５９２５０号公報
【特許文献４】特開２００４−１０３０６９号公報
【発明の開示】
【発明が解決しようとする課題】
【０００８】
しかしながら、特許文献１，２のような構成では、トレイを常時付勢しているため、板ばねが破損したり、トレイやガイドボスあるいはガイドレールが摩耗してしまうおそれがある。
また、トレイがケース体外に排出された際にトレイの自重で先端が垂れ下がりがたつきが発生することがある。特許文献１，２のような構成ではトレイの左右方向のがたつきを抑えており、特許文献３のような構成ではトレイ収納時のがたつきを抑えるため、いずれの構成においてもトレイ排出時のトレイの自重方向に沿ったがたつきを抑制できないおそれがある。さらに、特許文献４のような構成では、トレイ排出時の自重方向のがたつきを抑制できるが、この抑制のために硬質ゴムや形状記憶合金を用いており、製造工程が複雑になるおそれがある。
【０００９】
本発明は、このような点などに鑑みて、トレイ排出時における自重方向のがたつきを抑制可能かつ容易に製造可能なディスク搬送装置およびディスク装置を提供することを１つの目的とする。
【課題を解決するための手段】
【００１０】
請求項１に記載の発明は、ディスク状記録媒体を載置可能なトレイと、このトレイを挿排方向に沿って収納可能なシャーシと、を具備し、前記トレイの挿入方向側端部および前記シャーシの排出方向側端部のうち一方には、自重方向と略平行な方向に突出する被付勢突出部が設けられ、他方には、前記被付勢突出部のみを前記被付勢突出部の突出方向と反対側に付勢する付勢部が設けられたことを特徴とするディスク搬送装置である。
【００１１】
請求項５に記載の発明は、請求項１ないし請求項４のいずれかに記載のディスク搬送装置と、このディスク搬送装置の前記トレイを前記挿排方向へ移動させるトレイ駆動部と、ディスク状記録媒体に対する処理を実施するディスク処理部と、を具備したことを特徴とするディスク装置である。
【発明を実施するための最良の形態】
【００１２】
以下、本発明に係る一実施形態を図面に基づいて説明する。
本実施形態では、ディスク状記録媒体としての光ディスクに情報を記録および読み出す処理装置であるディスク装置を例示して説明する。なお、例えば携帯型のディスク装置を備えた映像データの録画などの記録や再生のための処理をする再生装置、記録装置あるいはゲーム機など、光ディスクに限らず、磁気ディスク、光磁気ディスクなどのいずれの記録媒体に各種情報を記録、あるいは読み出すいずれのディスク装置を対象とすることができる。また、記録媒体としては、ＣＤ（Compact Disc）、ＤＶＤ（Digital Versatile Disc）、ＢＤ（Blu-ray Disc：ブルーレイディスク）、ＨＤ−ＤＶＤ（High Definition DVD）などが例示できる。
【００１３】
［ディスク装置の構成］
まず、ディスク装置の構成について説明する。
図１は、本発明の一実施形態に係るディスク装置の概略構成を示す斜視図である。図２は、トレイがシャーシ内に挿入されている状態を示す平面図である。図３は、図２のIII−III線に沿った断面図である。図４は、図２のIV−IV線に沿った断面図である。
【００１４】
図１に示すように、ディスク装置１００は、図示しない光ディスクを面方向が水平方向と略一致する状態で収納して、この光ディスクに対する処理を実施する。そして、ディスク装置１００は、平面視略長方形状のディスク搬送装置を構成するシャーシ１１０と、このシャーシ１１０の長手方向に沿って移動してシャーシ１１０に収納されるディスク搬送装置を構成するトレイ１５０と、シャーシ１１０の上面および側面を閉塞する閉塞部１７０（図２〜図４参照）と、を備えている。
シャーシ１１０は、略長方形枠状のシャーシ基部１１１を備えている。このシャーシ基部１１１の内部には、光ディスクに対する処理をするディスク処理部２００が設けられている。さらに、シャーシ基部１１１における長手方向の一側縁側には、トレイ１５０を挿排方向に移動させるトレイ駆動部２１０が設けられている。
【００１５】
また、シャーシ基部１１１における長手方向の他側縁には、シャーシ背面部１１２（図２、図３参照）が立設されている。さらに、シャーシ基部１１１における短手方向の両側縁には、シャーシ背面部１１２に連続してシャーシ側面部１１３がそれぞれ立設されている。そして、シャーシ背面部１１２とシャーシ側面部１１３と閉塞部１７０とで略区画形成される空間に、トレイ駆動部２１０側から挿入されるトレイ１５０が収納される。
つまり、トレイ駆動部２１０側の端部がシャーシ１１０における排出方向側端部であり、シャーシ背面部１１２側が挿入方向側端部である。
【００１６】
また、シャーシ側面部１１３は、排出方向側端部に設けられた付勢保持部としての錘支持部１２０と、この錘支持部１２０よりも排出方向側に設けられた前側面部１１４と、錘支持部１２０よりも挿入方向側に設けられた後側面部１１５と、から構成されている。そして、前側面部１１４は、後側面部１１５と略等しい厚さ寸法、略等しい高さ寸法に形成されている。
また、前側面部１１４には、シャーシ１１０の水平方向中央（以下、シャーシ水平方向中央と適宜称す）に向けて突出する２個の上下移動規制部１１６が設けられている。この上下移動規制部１１６は、シャーシ１１０が上下方向にがたつくのを規制する。
【００１７】
錘支持部１２０は、前側面部１１４と後側面部１１５とを連結する第１の支持当接部１２１を有している。この第１の支持当接部１２１は、前側面部１１４よりも低く、かつ、前側面部１１４よりもシャーシ水平方向中央側に位置するように形成されている。また、第１の支持当接部１２１の前側面部１１４側には、シャーシ水平方向中央に向けて、面方向が垂直方向と略一致する板状に突出する第１の移動規制部１２２が設けられている。また、第１の支持当接部１２１の後側面部１１５側には、第１の移動規制部１２２と略平行に突出する第２の移動規制部１２３が設けられている。
第１，第２の移動規制部１２２，１２３は、上端面が前側面部１１４の上端面と同一面上に位置する形状に形成されている。また、第１，第２の移動規制部１２２，１２３の突出先端には、これらを連結する第２の支持当接部１２４が設けられている。この第２の支持当接部１２４は、第１の支持当接部１２１と略平行に、かつ、上端面が第１の支持当接部１２１の上端面と略同一面上に位置する形状に形成されている。
また、第１，第２の移動規制部１２２，１２３および第２の支持当接部１２４は、その下端面とシャーシ基部１１１との間に隙間が形成される形状に形成されている。さらに、第２の移動規制部１２３および第２の支持当接部１２４は、下端面の位置が第１の移動規制部１２２の下端面よりも上側に位置する形状に形成されている。
そして、錘支持部１２０は、付勢部としての錘１３０を挿排方向に寸法Ｌ１だけ移動可能に、かつ、上下方向に移動可能に支持する。
【００１８】
錘１３０は、金属などにより略ブロック状に形成されている。具体的には、錘１３０は、図３および図４に示すように、略長方形ブロック状の錘本体１３１を有している。この錘本体１３１は、前後方向の寸法が第１，第２の移動規制部１２２，１２３間の距離よりも短く、左右方向の寸法が第１，第２の支持当接部１２１，１２４間の距離よりも短い形状に形成されている。
また、錘本体１３１の右面と左面における上部には、側方に鍔状に突出する鍔部１３２がそれぞれ設けられている。これら鍔部１３２は、突出先端間の寸法が第１，第２の支持当接部１２１，１２４間の距離よりも長い形状に形成されている。さらに、錘本体１３１の右面と左面における上下方向の中間部には、鍔部１３２と同じ方向に突出する側方移動規制部１３３がそれぞれ設けられている。これら側方移動規制部１３３は、突出先端間の寸法が第１，第２の支持当接部１２１，１２４間の距離と略等しく、かつ、突出先端が断面半球状に形成されている。
【００１９】
また、錘本体１３１の前面と後面における下部には、下方に向かうにしたがって前後方向中央に近づく傾斜状の錘傾斜部１３４がそれぞれ設けられている。さらに、錘本体１３１の下面には、下方に突出する錘接触部１３５が設けられている。この錘接触部１３５は、平面視で略線状に設けられ、突出先端が断面半球状に形成されている。
そして、錘１３０は、鍔部１３２が第１，第２の支持当接部１２１，１２４に摺動可能に、かつ、錘接触部１３５が第１，第２の支持規制部１２１，１２４の下端面よりも下方に位置している。そして、錘１３０は、トレイ１５０が排出されたときにトレイ１５０の挿入方向側端部を下方、つまり自重方向に付勢する。
【００２０】
トレイ１５０は、略長方形板状のトレイ本体１５１を有している。このトレイ本体１５１には、光ディスクが載置されるディスク載置凹部１５２が設けられている。また、トレイ本体１５１の左右両側縁には、下方に延びる縦壁部１５３と、この縦壁部１５３の先端から外側に鍔状に延びるトレイ鍔部１５４と、が設けられている。そして、トレイ鍔部１５４の上面は、法線方向が自重方向と略平行な、つまり面方向が水平方向と略平行な平面状のトレイ平面部１５５を構成している。
【００２１】
また、トレイ平面部１５５の挿入方向側端部には、上方に突出する形状に形成され、錘１３０により下方に付勢される被付勢突出部１５６が設けられている。この被付勢突出部１５６は、平行当接部１５７と、傾斜当接部１５８と、を備えている。平行当接部１５７は、挿排方向に沿って寸法Ｌ２だけ延び、突出先端面がトレイ平面部１５５と略平行な平面状に形成されている。傾斜当接部１５８は、トレイ平面部１５５と平行当接部１５７の突出先端面とを連結する傾斜状に形成されている。この傾斜当接部１５８の挿排方向に沿った長さは、寸法Ｌ３に設定されている。また、平行当接部１５７の挿入方向側には、平行当接部１５７よりも上方に突出するトレイ側規制部１５９が設けられている。
また、トレイ本体１５１の排出方向先端には、例えばアルミで形成された化粧板１６０が取り付けられている。
【００２２】
そして、シャーシ１１０と、錘１３０と、トレイ１５０とは、本発明のディスク搬送装置を構成している。
【００２３】
［ディスク装置の動作］
次に、ディスク装置１００の動作について説明する。
まず、動作を説明する前にトレイ１５０が挿入されている状態について説明する。
図２〜図４に示すように、トレイ１５０がシャーシ１１０に挿入されている状態では、被付勢突出部１５６がシャーシ１１０の挿入方向側端部に位置しているため、被付勢突出部１５６と錘１３０とが接触していない。このため、錘１３０は、鍔部１３２がトレイ１５０のトレイ平面部１５５に当接しないように第１，第２の支持当接部１２１，１２４で支持され、側方移動規制部１３３が第１，第２の支持当接部１２１，１２４に略線接触し、挿入方向側端面が錘支持部１２０の第２の移動規制部１２３に当接している。
【００２４】
〔トレイの排出動作〕
次に、トレイ１５０の排出動作について説明する。
図５は、トレイがシャーシから排出される途中の状態を示す平面図である。図６は、図５のVI−VI線に沿った断面図である。図７は、トレイがシャーシから排出された状態を示す平面図である。図８は、図７のVIII−VIII線に沿った断面図である。図９は、図７のIX−IX線に沿った断面図である。
【００２５】
トレイ駆動部２１０の駆動によりトレイ１５０の排出動作が開始されると、図５〜図６に示すように、トレイ１５０が挿入方向側に移動する。このとき、錘１３０がトレイ平面部１５５と対向してトレイ１５０に当接していないため、錘１３０の位置は変化しない。
この後、トレイ１５０が挿入方向側にさらに移動すると、錘１３０の錘傾斜部１３４がトレイ１５０の傾斜当接部１５８に略面接触する。そして、錘１３０は、トレイ１５０の移動に伴い傾斜当接部１５８により付勢され、第１の移動規制部１２２側に移動する。さらに、錘１３０は、トレイ１５０とともに排出方向に寸法Ｌ１だけ移動すると、第１の移動規制部１２２に当接して移動が規制される。
この後、さらにトレイ１５０が移動すると、錘１３０が傾斜当接部１５８の傾斜に沿って徐々に押し上げられ、鍔部１３２が第１，第２の支持当接部１２１，１２４から離れる。そして、傾斜当接部１５８が錘１３０に対して排出方向に寸法Ｌ３だけ移動すると、錘接触部１３５が平行当接部１５７に線接触する。さらに、平行当接部１５７が錘１３０に対して排出方向に寸法Ｌ２と略等しい距離だけ移動すると、図７〜図９に示すように、錘１３０とトレイ側規制部１５９とが略当接あるいは近接する。そして、トレイ駆動部２１０の駆動が停止し、トレイ１５０の排出動作が終了する。
【００２６】
この排出動作において、錘１３０が傾斜当接部１５８または平行当接部１５７と接触して、トレイ１５０が寸法Ｌ１，Ｌ２，Ｌ３を合わせた距離と略等しい距離だけ移動している間には、トレイ１５０の挿入方向側端部は、錘１３０により自重方向に付勢されている。このため、トレイ１５０は、トレイ１５０自体あるいは化粧板１６０の重みで排出方向側端部が自重方向に付勢されても、挿入方向側端部での錘１３０による自重方向の付勢により平衡状態が保たれ、排出時に自重方向にがたつくことがない。また、錘１３０がトレイ平面部１５５と対向している間は、トレイ１５０に対する錘１３０の付勢力が作用しない。
【００２７】
〔トレイの挿入動作〕
次に、トレイ１５０の挿入動作について説明する。
図７〜図９に示す状態からトレイ駆動部２１０の駆動によりトレイ１５０の挿入動作が開始されると、錘接触部１３５と平行当接部１５７との間の摩擦力により、トレイ１５０とともに錘１３０がシャーシ１１０に対して挿入方向へ移動する。そして、錘１３０が寸法Ｌ１だけ移動して第２の移動規制部１２３に当接すると、錘１３０の移動が規制されて平行当接部１５７が錘１３０に対して挿入方向へ移動する。この後、錘１３０は、傾斜当接部１５８の傾斜に沿って下方に移動し、図５〜図６に示すように、トレイ平面部１５５と対向すると鍔部１３２が第１，第２の支持当接部１２１，１２４で支持される。そして、錘１３０によるトレイ１５０の付勢が解除される。この後、トレイ１５０が移動して、図２〜図４に示すように、シャーシ１１０内に挿入され、トレイ駆動部２１０の駆動が停止し、トレイ１５０の挿入動作が終了する。
【００２８】
［ディスク装置の作用効果］
上述したように、上記実施形態では、以下のような効果を奏することができる。
【００２９】
（１）ディスク装置１００を構成するトレイ１５０の挿入方向側端部に、自重方向と反対方向である上方に突出する被付勢突出部１５６を設け、シャーシ１１０の排出方向側端部に、被付勢突出部１５６のみを被付勢突出部１５６の突出方向と反対方向である下方に付勢する錘１３０を設けている。
このため、トレイ１５０が排出されたときのみにトレイ１５０の挿入方向側端部を下方に付勢することで、トレイ１５０自体あるいは化粧板１６０の重みで排出方向側端部が自重方向に付勢されたとしても、トレイ１５０の平衡状態を保つことができ、排出時における自重方向のがたつきを防止できる。そして、排出後のトレイ１５０の位置が安定するため、トレイ１５０の収納時においてもシャーシ１１との不要な当接を避けることができ、排出時と同様に安定した収納動作を実現できる。また、トレイ１５０を常時付勢する構成と比べて、トレイ１５０やシャーシ１１０の破損や摩耗を抑制できる。さらに、硬質ゴムや形状記憶合金などを利用しないので、容易に製造できる。
さらには、トレイ１５０が排出されたときのみに付勢するので、トレイ駆動部２１０の負荷を低減でき、電力消費量を減らすことができる。
【００３０】
（２）シャーシ１１０に、錘１３０を挿排方向に沿って寸法Ｌ１だけ移動可能に支持する錘支持部１２０を設け、トレイ１５０に、挿排方向に沿って寸法Ｌ２だけ延びる平行当接部１５７を設けている。
ここで、錘１３０を挿排方向に沿って移動不可能に設けた場合、トレイ１５０を寸法Ｌ１と寸法Ｌ２とを合わせた距離と略等しい距離（以下、トレイ付勢距離と称す）だけ移動させる間に常時付勢するためには、平行当接部１５７の長さを寸法Ｌ１と寸法Ｌ２とを合わせた長さにする必要がある。これに対して、本実施形態では、錘１３０を寸法Ｌ１だけ移動可能に設けているので、平行当接部１５７の長さをトレイ付勢距離よりも短い寸法Ｌ２にしても、トレイ１５０をトレイ付勢距離だけ移動させる間に常時付勢することができる。したがって、トレイ１５０を形成する材料の使用量を減らすことができ、トレイ１５０の軽量化も図ることができる。
【００３１】
（３）シャーシ１１０を付勢する付勢部として、錘１３０を適用しているため、ディスク装置１００を容易に製造でき、構成も簡略にできる。
【００３２】
（４）シャーシ１１０に、トレイ平面部１５５と平行当接部１５７の突出先端面とを連結する傾斜状の傾斜当接部１５８を設けている。
このため、錘１３０とトレイ１５０との当接部分をトレイ平面部１５５から平行当接部１５７に滑らかに移動させることができ、シャーシ１１０の自重方向へのがたつきを抑制できる。
【００３３】
（５）錘１３０の下部に、錘傾斜部１３４を設けている。
このため、錘傾斜部１３４と傾斜当接部１５８と略面接触させることで、錘１３０とトレイ１５０との当接部分をトレイ平面部１５５から平行当接部１５７に移動させるときの摩擦抵抗を最小限に抑えることができ、トレイ駆動部２１０の負荷を低減でき、さらには錘１３０やトレイ１５０の破損を防止できる。
【００３４】
（６）錘１３０に突出先端が断面半球状の錘接触部１３５を設け、この錘接触部１３５を被付勢突出部１５６に線接触させている。さらに、錘１３０に突出先端が断面半球状の側方移動規制部１３３を設け、この側方移動規制部１３３を第１，第２の支持当接部１２１，１２４に線接触させている。
このため、錘１３０と、被付勢突出部１５６や第１，第２の支持当接部１２１，１２４との摩擦抵抗を最小限に抑えることができ、トレイ駆動部２１０の負荷を低減でき、さらには錘１３０やシャーシ１１０の破損を防止できる。
【００３５】
［他の実施形態］
なお、本発明は前述の一実施形態に限定されるものではなく、本発明の目的を達成できる範囲での変形、改良等は本発明に含まれるものである。
【００３６】
すなわち、錘支持部１２０を設けずに、錘１３０を挿排方向に移動不可能な構成としてもよい。また、平行当接部１５７または傾斜当接部１５８を設けない構成としてもよい。さらに、ディスク装置１００の左右両側に錘支持部１２０、錘１３０、および、被付勢突出部１５６を設けたが、左右のうち一方の端部に設けてもよいし左右方向の中央に設けてもよい。
【００３７】
さらには、本発明の付勢部として、板ばねや弾性変形可能な樹脂で形成された構成を設けてもよい。また、板ばねなどの自重以外の付勢力で付勢する付勢部を用いた場合、この付勢部をトレイ１５０に設けるとともに、付勢部で上方に付勢される被付勢突出部１５６をシャーシ１１０に設けてもよい。このような構成にすれば、付勢部の上方への付勢による反力でトレイ１５０の挿入方向側端部を下方に付勢することができ、上記実施形態と同様の作用効果を奏することができる。
また、本発明のディスク搬送装置を面方向が水平方向と略一致する状態で光ディスクを収納する構成に適用したが、面方向が垂直方向と略一致する状態で光ディスクを収納する構成に適用してもよい。すなわち、例えば、シャーシの上側となる側面における排出方向側端部に錘支持部１２０および錘１３０を設け、トレイの上側となる側面における挿入方向側端部に上方に突出する被付勢突出部１５６を設けてもよい。このような構成にしても、上記実施形態と同様にトレイ排出時における自重方向のがたつきを抑制できかつ容易に製造できるディスク装置を提供できる。
【００３８】
その他、本発明の実施の際の具体的な構造および手順は、本発明の目的を達成できる範囲で他の構造などに適宜変更できる。
【００３９】
［実施形態の作用効果］
上述したように、ディスク装置１００を構成するトレイ１５０の挿入方向側端部に、上方に突出する被付勢突出部１５６を設け、シャーシ１１０の排出方向側端部に、被付勢突出部１５６のみを下方に付勢する錘１３０を設けている。
このため、トレイ１５０が排出されたときのみにトレイ１５０の挿入方向側端部を下方に付勢することで、トレイ１５０自体あるいは化粧板１６０の重みで排出方向側端部が自重方向に付勢されたとしても、トレイ１５０の平衡状態を保つことができ、排出時における自重方向のがたつきを防止できる。また、トレイ１５０を常時付勢する構成と比べて、トレイ１５０やシャーシ１１０の破損や摩耗を抑制できる。さらに、硬質ゴムや形状記憶合金などを利用しないので、容易に製造できる。
【図面の簡単な説明】
【００４０】
【図１】本発明の一実施形態に係るディスク装置の概略構成を示す斜視図である。
【図２】前記一実施形態におけるトレイがシャーシ内に挿入されている状態を示す平面図である。
【図３】図２のIII−III線に沿った断面図である。
【図４】図２のIV−IV線に沿った断面図である。
【図５】前記一実施形態におけるトレイがシャーシから排出される途中の状態を示す平面図である。
【図６】図５のVI−VI線に沿った断面図である。
【図７】前記一実施形態におけるトレイがシャーシから排出された状態を示す平面図である。
【図８】図７のVIII−VIII線に沿った断面図である。
【図９】図７のIX−IX線に沿った断面図である。
【符号の説明】
【００４１】
１００…ディスク装置
１１０…ディスク搬送装置を構成するシャーシ
１２０…付勢保持部としての錘支持部
１３０…ディスク搬送装置を構成する付勢部としての錘
１５０…ディスク搬送装置を構成するトレイ
１５６…被付勢突出部
１５７…平行当接部
１５８…傾斜当接部
２００…ディスク処理部
２１０…トレイ駆動部
【図１】
2009211748.tif 000003
【図２】
2009211748.tif 000004
【図３】
2009211748.tif 000005
【図４】
2009211748.tif 000006
【図５】
2009211748.tif 000007
【図６】
2009211748.tif 000008
【図７】
2009211748.tif 000009
【図８】
2009211748.tif 000010
【図９】
2009211748.tif 000011